(57)【特許請求の範囲】
【請求項１】
出入り口を開閉する中央開き戸を有するエレベータのドア装置であって、
上記出入り口の上部の固定部材に該出入り口の間口方向に移動可能に配設された取付台と、
上記取付台に固定され、固定接点、該固定接点に接離可能に配設された可動接点、および該可動接点を該固定接点に当接させる作動子を備えた戸閉検出用スイッチと、
上記中央開き戸の一方の戸に取り付けられ、該一方の戸の閉動作時に、該一方の戸の全閉間近位置から上記取付台に接して全閉位置まで押圧移動させ、該一方の戸の全閉時に、該取付台の該一方の戸側への移動を阻止する全閉位置規定手段と、
上記中央開き戸の他方の戸に取り付けられ、該他方の戸の閉動作時に、該他方の戸の全閉間近位置から全閉位置まで上記作動子に係合し、該他方の戸の閉方向の移動力を該作動子に伝達するカムと、を備え、
上記作動子は、上記全閉位置規定手段により上記取付台の上記一方の戸側への移動を阻止されているときにのみ、該カムから伝達される上記他方の戸の閉方向の移動力により上記可動接点を上記固定接点に当接させるように構成されていることを特徴とする中央開き戸を有するエレベータのドア装置。
【請求項２】
上記作動子は、上記可動接点を支持し、該可動接点を上記固定接点に当接させるように配設された弾性支持部材と、軸周りに回動可能に、かつ一端側が上記弾性支持部材に係合可能に配設され、軸周りに一側に回動して該弾性支持部材を弾性変形させて上記可動接点が上記固定接点から離反する開成位置、および軸周りに他側に回動して該弾性支持部材を復元させて該可動接点が該固定接点に当接する閉成位置をとるレバーと、上記レバーを軸周りに一側に回動させる方向に付勢して該レバーを開成位置に保持する付勢手段と、上記レバーに取り付けられ、上記カムに係合して上記付勢手段の付勢力に抗して該レバーを軸周りに他側に回動させるローラと、を備えていることを特徴とする請求項１記載の中央開き戸を有するエレベータのドア装置。
【請求項３】
上記作動子は、上記可動接点が取り付けられ、かつ軸周りに回動可能に配設され、軸周りに一側に回動して該可動接点が上記固定接点から離反する開成位置、および軸周りに他側に回動して該可動接点が該固定接点に当接する閉成位置をとるレバーと、上記レバーを付勢して該レバーを開成位置に保持する付勢手段と、上記レバーに取り付けられ、上記カムに係合して上記付勢手段の付勢力に抗して該レバーを軸周りに他側に回動させるローラと、を備えていることを特徴とする請求項１記載の中央開き戸を有するエレベータのドア装置。
【請求項４】
上記取付台に当接して、該取付台の上記一方の戸の開動作方向の移動を該一方の戸の全閉間近位置の上記全閉位置規定手段が接する退避位置で停止させる取付台退避位置決め部材と、
上記取付台を上記一方の戸の開動作方向に付勢して上記取付台退避位置決め部材に当接させる取付台付勢手段と、を備えていることを特徴とする請求項１乃至請求項３のいずれか１項に記載の中央開き戸を有するエレベータのドア装置。
【発明の詳細な説明】
【技術分野】
【０００１】
この発明は、エレベータのドア装置に関し、特に中央開き戸の戸閉検出用のスイッチ構造に関するものである。
【背景技術】
【０００２】
従来の中央開き戸を有するエレベータのドア装置では、２枚のかごドアが上部に固定されたドアハンガのハンガローラをドアレールに掛けて吊設され、ドアレールに案内されてかご出入り口を開閉可能に配設され、戸閉スイッチが一方のかごドアの戸閉位置への到達を検出可能に配設されていた（例えば、特許文献１参照）。
【先行技術文献】
【特許文献】
【０００３】
【特許文献１】特開２００６−３２１６０８号公報
【発明の概要】
【発明が解決しようとする課題】
【０００４】
従来の中央開き戸を有するエレベータのドア装置では、戸閉スイッチにより一方のかごドアの戸閉のみを検出していたので、両かごドアを連結するベルトやチェーンなどの不具合で他方のかごドアが戸閉位置にいない状態でも、エレベータ制御装置が両かごドアが戸閉したと判断してしまうという問題があった。
【０００５】
この不具合を解決するために、かごドアの戸閉位置への到達を検出する戸閉スイッチを各かごドアに設けることが考えられる。この場合、２つの戸閉スイッチが必要となり、コストアップしてしまうという問題がある。また、戸閉スイッチを構成する接点対を両かごドアに分けて取り付けることも考えられる。この場合、戸閉スイッチは１つですむが、左右に移動する両かごドアに取り付けられた接点から乗りかご側の戸閉検出回路までケーブルを取り回す必要があるという問題がある。
【０００６】
本発明は、このような課題を解決するためになされたものであり、１つの戸閉検出スイッチにより中央開き戸の戸閉を確実に検出でき、かつケーブルの配線が簡易となる中央開き戸を有するエレベータのドア装置を得ることを目的とする。
【課題を解決するための手段】
【０００７】
本発明に係る中央開き戸を有するエレベータのドア装置は、出入り口の上部の固定部材に該出入り口の間口方向に移動可能に配設された取付台と、上記取付台に固定され、固定接点、該固定接点に接離可能に配設された可動接点、および該可動接点を該固定接点に当接させる作動子を備えた戸閉検出用スイッチと、上記中央開き戸の一方の戸に取り付けられ、該一方の戸の閉動作時に、該一方の戸の全閉間近位置から上記取付台に接して全閉位置まで押圧移動させ、該一方の戸の全閉時に、該取付台の該一方の戸側への移動を阻止する全閉位置規定手段と、上記中央開き戸の他方の戸に取り付けられ、該他方の戸の閉動作時に、該他方の戸の全閉間近位置から全閉位置まで上記作動子に係合し、該他方の戸の閉方向の移動力を該作動子に伝達するカムと、を備え、上記作動子は、上記全閉位置規定手段により上記取付台の上記一方の戸側への移動を阻止されているときにのみ、該カムから伝達される上記他方の戸の閉方向の移動力により上記可動接点を上記固定接点に当接させるように構成されている。
【発明の効果】
【０００８】
本発明によれば、戸閉検出用スイッチが出入り口の上部の固定部材に出入り口の間口方向に移動可能に配設された取付台に取り付けられているので、固定接点および可動接点と戸閉検出回路とを接続するケーブルの配線が容易となる。また、作動子が、全閉位置規定手段により取付台の一方の戸側への移動を阻止されているときにのみ、カムから伝達される他方の戸の閉方向の移動力により可動接点を固定接点に当接させるように構成されているので、中央開き戸の両方の戸が閉状態のときにのみ可動接点が固定接点に当接する。そこで、１つの戸閉検出用スイッチで、中央開き戸の両方の戸が閉状態の場合のみを戸閉として検出することができる。
【図面の簡単な説明】
【０００９】
【図１】この発明の実施の形態１に係る中央開き戸を有するエレベータのドア装置の戸閉状態を昇降路側から見た正面図である。
【図２】この発明の実施の形態１に係るエレベータの乗り場ドア装置の戸開状態を昇降路側から見た正面図である。
【図３】この発明の実施の形態１に係る中央開き戸を有するエレベータのドア装置における戸閉検出用スイッチの動作を説明する図である。
【図４】この発明の実施の形態１に係る中央開き戸を有するエレベータのドア装置において第１のかごドアのみが全閉状態となっている状態を昇降路側から見た正面図である。
【図５】この発明の実施の形態１に係る中央開き戸を有するエレベータのドア装置において第２のかごドアのみが全閉状態となっている状態を昇降路側から見た正面図である。
【図６】この発明の実施の形態２に係る中央開き戸を有するエレベータのドア装置の戸閉状態を昇降路側から見た正面図である。
【図７】この発明の実施の形態２に係るエレベータの乗り場ドア装置の戸開状態を昇降路側から見た正面図である。
【図８】この発明の実施の形態２に係る中央開き戸を有するエレベータのドア装置において第１のかごドアのみが全閉状態となっている状態を昇降路側から見た正面図である。
【図９】この発明の実施の形態２に係る中央開き戸を有するエレベータのドア装置において第２のかごドアのみが全閉状態となっている状態を昇降路側から見た正面図である。
【図１０】この発明の実施の形態３に係る中央開き戸を有するエレベータのドア装置における戸閉検出用スイッチの動作を説明する図である。
【発明を実施するための形態】
【００１０】
以下、本発明のエレベータのドア装置の好適な実施の形態について図面を用いて説明する。
【００１１】
実施の形態１．
図１はこの発明の実施の形態１に係る中央開き戸を有するエレベータのドア装置の戸閉状態を昇降路側から見た正面図、図２はこの発明の実施の形態１に係るエレベータの乗り場ドア装置の戸開状態を昇降路側から見た正面図、図３はこの発明の実施の形態１に係る中央開き戸を有するエレベータのドア装置における戸閉検出用スイッチの動作を説明する図であり、図３の（ａ）は閉成状態を示し、図３の（ｂ）は開成状態を示している。図４はこの発明の実施の形態１に係る中央開き戸を有するエレベータのドア装置において第１のかごドアのみが全閉状態となっている状態を昇降路側から見た正面図、図５はこの発明の実施の形態１に係る中央開き戸を有するエレベータのドア装置において第２のかごドアのみが全閉状態となっている状態を昇降路側から見た正面図である。
【００１２】
図１および図２において、ドア装置は、乗りかご１の出入り口２の昇降路側の上部に固定された固定部材としてのフレーム３と、出入り口２の間口方向に延在するようにフレーム３に固定されたドアレール４と、それぞれ第１および第２のドアハンガ７，８が上部に取り付けられ、第１および第２ドアハンガ７，８に取り付けられたハンガローラ９をドアレール４に掛けて吊設され、ドアレール４に案内されて左右にスライドして出入り口２を開閉する第１および第２のかごドア５，６と、ドアレール４の上方に、出入り口２の間口方向に延在するようにフレーム３に固定されたガイドレール１０と、ガイドレール１０に取り付けられて出入り口２の間口方向に往復移動可能に配設された取付台１１と、取付台１１に固定された戸閉検出用スイッチ２０と、第１のドアハンガ７の戸当たり側に取り付けられ、第１のかごドア５が全閉位置に到達したときに戸閉検出用スイッチ２０を閉成させるカム１２と、第２のドアハンガ８の戸当たり側に支持腕１３を介して取り付けられ、第２のかごドア６が全閉間近位置に到達したときに取付台１１に接して戸閉検出用スイッチ２０を閉方向に押圧する全閉位置規定手段としての緩衝ゴム１４と、を備えている。
【００１３】
戸閉検出用スイッチ２０は、図３に示されるように、取付台１１に固定状態に取り付けられるベース２１と、ベース２１に取り付けられた固定接点２２と、可動接点２３と、一端をベース２１に取り付けられ、他端に取り付けられた可動接点２３を固定接点２２に当接させる弾性支持部材としての板ばね２４と、ベース２１に軸２５周りに回動可能に取り付けられ、板ばね２４に係合して可動接点２３を固定接点２２に接離させる作動腕２６ａを有し、板ばね２４を弾性変形させて可動接点２３を固定接点２２から離反させる開成位置と板ばね２４を復元させて可動接点２３を固定接点２２に接触させる閉成位置との間を移動可能に構成されたレバー２６と、作動腕２６ａを開成位置に位置させるようにレバー２６を付勢する付勢手段としての押しばね２７と、レバー２６に回転可能に取り付けられ、カム１２と係合して作動腕２６ａを閉成位置に位置させるようにレバー２６を軸２５周りに回動させるローラ２８と、押しばね７の付勢力により軸２５周りに回動するレバー２６に当接してレバー２６の回動を停止させ、作動腕２６ａを開成位置に保持するストッパ２９と、固定接点２２および可動接点２３と戸閉検出回路（図示せず）とを電気的に接続するケーブル３０と、を備えている。
【００１４】
ここで、板ばね２４、レバー２６、押しばね２７、ローラ２８から作動子を構成している。
【００１５】
つぎに、戸閉検出用スイッチ２０の動作を図３に基づいて説明する。
まず、ローラ２８がカム１２と係合していない状態では、図３の（ｂ）に示されるように、押しばね２７の付勢力が作動腕２６ａに作用し、レバー２６が軸２５周りに時計回りに回動する。そして、レバー２６の回動により、作動腕２６ａが板ばね２４を図３の(ｂ)に示されるように、下方に押圧する。これにより、板ばね２４が弾性変形し、可動接点２３が固定接点２２から離反し、接点が開成状態となる。そして、レバー２６がストッパ２９に当接し、レバー２６の回動が阻止され、レバー２６が開成位置に保持される。
ついで、図３の（ｂ）において、ローラ２８を上方に押し上げる力が作用すると、レバー２６が軸２５周りに反時計回りに回動する。これにより、図３の（ａ）に示されるように、作動腕２６ａが押しばね２７の付勢力に抗して軸２５周りに反時計回りに回動し、板ばね２４が復元し、ついには可動接点２３が固定接点２２に当接し、接点が閉成状態となる。このレバー２６の位置が閉成位置となる。
【００１６】
ここで、取付台１１は、戸閉検出用スイッチ２０が取り付けられた際に、全閉間近位置の第２のかごドア６に取り付けられた緩衝ゴム１４に接する位置と、開成状態の戸閉検出用スイッチ２０のローラ２８が全閉間近位置の第１のかごドア５に取り付けられたカム１２に係合する位置との間を往復移動可能にガイドレール１０に取り付けられる。そして、一対のストッパ１５が取付台１１に当接して取付台１１のガイドレール１０からの抜けを防止するように配設されている。
【００１７】
つぎに、ドア装置の動作について説明する。
第１および第２のかごドア５，６は、ハンガローラ９をドアレール４に掛けて、ドアレール４に案内されて左右にスライド可能に配設されている。そして、図示していないが、ドア駆動モータの回転トルクがベルトやチェーンを介して第１および第２のかごドア５，６に伝達されるようになっている。
【００１８】
ドア駆動モータが順方向に駆動されると、ドア駆動モータの回転トルクがベルトやチェーンを介して第１および第２のかごドア５，６に伝達される。そこで、第１および第２のかごドア５，６は、ハンガローラ９がドアレール４上を走行し、互いに離間する方向に移動し、図２に示されるように、戸開状態となる。戸開状態では、ローラ２８がカム１２と係合していないので、作動腕２６ａが押しばね２７により押圧され、レバー２６が軸２５周りに開成位置まで回動され、ストッパ２９がレバー２６に当接し、戸閉検出用スイッチ２０が開成状態に維持される。
【００１９】
また、ドア駆動モータが逆方向に駆動されると、第１および第２のかごドア５，６は、互いに接近する方向に移動し、図１に示されるように、戸閉状態となる。このとき、第２のかごドア６が全閉間近位置まで移動すると、緩衝ゴム１４が取付台１１に接する。さらに、第２のかごドア６が全閉位置側に移動すると、取付台１１がガイドレール１０に案内されて第１のかごドア５側に移動する。一方、第１のかごドア５が全閉間近位置まで移動すると、カム１２がローラ２８に接する。さらに、第１のかごドア５が全閉位置側に移動すると、第１のかごドア５の閉方向の移動力がカム１２およびローラ２８を介してレバー２６に作用する。
【００２０】
そこで、取付台１１の第１のかごドア５側への移動と、カム１２の第２のかごドア６側への移動とにより、ローラ２８がカム１２により押し上げられ、レバー２６が軸２５周りに閉成位置側に回動する。そして、第１および第２のかごドア５，６が全閉状態となると、ローラ２８がカム１２に完全に乗り上げ、レバー２６が閉成位置となる。これにより、可動接点２３が固定接点２２に押圧され、閉成状態となる。そこで、ケーブル３０を介して戸閉検出用スイッチ２０に接続されている戸閉検出回路（図示せず）に電流が流れ、第１および第２のかごドア５，６が全閉されていることが電気的な信号により確認され、エレベータの上下方向の運転が可能となる。
【００２１】
ついで、ベルトやチェーンの不具合で第１のかごドア５のみが全閉状態となる場合について図４を参照しつつ説明する。
第１のかごドア５が全閉直前まで移動すると、カム１２がローラ２８に接する。さらに、第１のかごドア５が全閉位置側に移動すると、第１のかごドア５の閉方向の移動力がカム１２およびローラ２８を介してレバー２６に伝達され、戸閉検出用スイッチ２０と取付台１１とがガイドレール１０に案内されて第２のかごドア６側に移動する。このとき、第２のかごドア６が閉動作していないので、取付台１１は緩衝ゴム１４に当接しない。そこで、第１のかごドア５の閉方向の移動力は緩衝ゴム１４で受けられず、レバー２６を軸２５周りに回動させるように作用せず、戸閉検出用スイッチ２０を第２のかごドア６側に移動させるように作用する。これにより、第１のかごドア５が全閉位置まで移動しても、戸閉検出用スイッチ２０は開成状態に維持される。そこで、ケーブル３０を介して戸閉検出用スイッチ２０に接続されている戸閉検出回路に電流が流れず、エレベータの上下方向の運転は不能となる。
【００２２】
ついで、ベルトやチェーンの不具合で第２のかごドア６のみが全閉状態となる場合について図５を参照しつつ説明する。
第２のかごドア６が全閉直前まで移動すると、緩衝ゴム１４が取付台１１に接する。さらに、第２のかごドア６が全閉位置側に移動すると、第２のかごドア６の閉方向の移動力が緩衝ゴム１４を介して取付台１１に伝達され、戸閉検出用スイッチ２０と取付台１１とがガイドレール１０に案内されて第１のかごドア５側に移動する。このとき、第１のかごドア５が閉動作していないので、ローラ２８はカム１２に当接しない。そこで、戸閉検出用スイッチ２０と取付台１１は、第２のかごドア６とともに第１のかごドア５側に移動する。これにより、第２のかごドア６が全閉位置まで移動しても、戸閉検出用スイッチ２０は開成状態に維持される。そこで、ケーブル３０を介して戸閉検出用スイッチ２０に接続されている戸閉検出回路に電流が流れず、エレベータの上下方向の運転は不能となる。
【００２３】
このように、この実施の形態１によれば、戸閉検出用スイッチ２０が出入り口２の上部に固定されたフレーム３に配設された取付台１１に取り付けられているので、固定接点２２および可動接点２３の接点と乗りかご１側の戸閉検出回路とを接続するケーブル３０の配線が容易となる。
【００２４】
取付台１１がフレーム３に取り付けられたガイドレール１０に案内されて間口方向に移動可能に配設されている。さらに、カム１２が、第１のかごドア５の戸閉動作時に、全閉間近位置からローラ２８に係合するように第１のかごドア５に取り付けられ、緩衝ゴム１４が、第２のかごドア６の戸閉動作時に、全閉間近位置から取付台１１に接するように第２のかごドア６に取り付けられている。
【００２５】
そこで、カム１２がローラ２８と係合していない状態では、第２のかごドア６の閉方向の移動力が緩衝ゴム１４を介して取付台１１に作用すると、取付台１１は第２のかごドア６の閉動作に連動してガイドレール１０に案内されて第１のかごドア５側に移動し、戸閉検出用スイッチ２０は開成状態に保持される。また、緩衝ゴム１４が取付台１１と係合していない状態では、第１のかごドア５の閉方向の移動力がカム１２とローラ２８を介してレバー２６に作用すると、取付台１１は第１のかごドア５の閉動作に連動してガイドレール１０に案内されて第２のかごドア６側に移動し、戸閉検出用スイッチ２０は開成状態に保持される。さらに、カム１２がローラ２８に係合し、かつ緩衝ゴム１４が取付台１１に接する状態では、第１および第２のかごドア５，６の閉方向の移動力が、押しばね２７の付勢力に抗してレバー２６を閉成位置側に軸２５周りに回動させるように作用し、戸閉検出用スイッチ２０が閉成状態となる。
【００２６】
このように、戸閉検出用スイッチ２０は、第１および第２のかごドア５，６の一方の戸のみが戸閉されても、戸閉を検出せず、第１および第２のかごドア５，６が共に戸閉されることで、戸閉を検知できる。
【００２７】
実施の形態２．
図６はこの発明の実施の形態２に係る中央開き戸を有するエレベータのドア装置の戸閉状態を昇降路側から見た正面図、図７はこの発明の実施の形態２に係るエレベータの乗り場ドア装置の戸開状態を昇降路側から見た正面図、図８はこの発明の実施の形態２に係る中央開き戸を有するエレベータのドア装置において第１のかごドアのみが全閉状態となっている状態を昇降路側から見た正面図、図９はこの発明の実施の形態２に係る中央開き戸を有するエレベータのドア装置において第２のかごドアのみが全閉状態となっている状態を昇降路側から見た正面図である。
【００２８】
図６および図７において、取付台退避位置決め部材としてのストッパ１６が、取付台１１に当接して、取付台１１の第２のかごドア６の開方向の移動を、全閉間近位置の第２のかごドア６に取り付けられた緩衝ゴム１４と接する位置（退避位置）で停止させるように配設されている。取付台付勢手段としての戻しばね１７が、取付台１１を第２のかごドア６の開方向に付勢して、取付台１１をストッパ１６に当接させるように配設されている。
なお、他の構成は上記実施の形態１と同様に構成されている。
【００２９】
つぎに、このように構成されたドア装置の動作について説明する。
ドア駆動モータが順方向に駆動されると、ドア駆動モータの回転トルクがベルトやチェーンを介して第１および第２のかごドア５，６に伝達される。そこで、第１および第２のかごドア５，６は、ハンガローラ９がドアレール４上を走行し、互いに離間する方向に移動し、図７に示されるように、戸開状態となる。戸開状態では、ローラ２８がカム１２と係合していないので、作動腕２６ａが押しばね２７により押圧され、レバー２６が軸２５周りに開成位置まで回動され、ストッパ２９がレバー２６に当接し、戸閉検出用スイッチ２０が開成状態に維持される。また、取付台１１は、戻しばね１７の付勢力によりストッパ１６に当接され、退避位置に保持される。
【００３０】
また、ドア駆動モータが逆方向に駆動されると、第１および第２のかごドア５，６は、互いに接近する方向に移動し、図６に示されるように、戸閉状態となる。このとき、第２のかごドア６が全閉間近位置まで移動すると、緩衝ゴム１４が取付台１１に接する。さらに、第２のかごドア６が全閉位置側に移動すると、取付台１１が戻しばね１７の付勢力に抗してガイドレール１０に案内されて第１のかごドア５側に移動する。一方、第１のかごドア５が全閉間近位置まで移動すると、カム１２がローラ２８に接する。さらに、第１のかごドア５が全閉位置側に移動すると、第１のかごドア５の閉方向の移動力がカム１２およびローラ２８を介してレバー２６に作用する。
【００３１】
そこで、取付台１１の第１のかごドア５側への移動と、カム１２の第２のかごドア６側への移動とにより、ローラ２８がカム１２により押し上げられ、レバー２６が軸２５周りに閉成位置側に回動する。そして、第１および第２のかごドア５，６が全閉状態となると、ローラ２８がカム１２に完全に乗り上げ、レバー２６が閉成位置となる。これにより、可動接点２３が固定接点２２に押圧され、閉成状態となる。そこで、ケーブル３０を介して戸閉検出用スイッチ２０に接続されている戸閉検出回路（図示せず）に電流が流れ、第１および第２のかごドア５，６が全閉されていることが電気的な信号により確認され、エレベータの上下方向の運転が可能となる。
【００３２】
ついで、ベルトやチェーンの不具合で第１のかごドア５のみが全閉状態となる場合について図８を参照しつつ説明する。
第２のかごドア６が全閉間近位置まで移動していないと、取付台１１は退避位置に保持される。そこで、第１のかごドア５が全閉位置まで移動しても、カム１２がローラ２８に係合せず、戸閉検出用スイッチ２０は開成状態に維持される。そこで、ケーブル３０を介して戸閉検出用スイッチ２０に接続されている戸閉検出回路に電流が流れず、エレベータの上下方向の運転は不能となる。
【００３３】
ついで、ベルトやチェーンの不具合で第２のかごドア６のみが全閉状態となる場合について図９を参照しつつ説明する。
第２のかごドア６が全閉間近位置まで移動すると、緩衝ゴム１４が取付台１１に接する。さらに、第２のかごドア６が全閉位置側に移動すると、第２のかごドア６の閉方向の移動力が緩衝ゴム１４を介して取付台１１に伝達され、戸閉検出用スイッチ２０と取付台１１とが、戻しばね１７の付勢力に抗して、ガイドレール１０に案内されて第１のかごドア５側に移動する。このとき、第１のかごドア５が閉動作していないので、ローラ２８はカム１２に当接しない。そこで、戸閉検出用スイッチ２０と取付台１１は、第２のかごドア６とともに第１のかごドア５側に移動する。これにより、第２のかごドア６が全閉位置まで移動しても、戸閉検出用スイッチ２０は開成状態に維持される。そこで、ケーブル３０を介して戸閉検出用スイッチ２０に接続されている戸閉検出回路に電流が流れず、エレベータの上下方向の運転は不能となる。
【００３４】
したがって、この実施の形態２においても、上記実施の形態１と同様の効果を奏する。
実施の形態２によれば、ストッパ１６が、取付台１１に当接して、取付台１１の第２のかごドア６の開方向の移動を、全閉間近位置の第２のかごドア６に取り付けられた緩衝ゴム１４と接する退避位置で停止させるように配設され、戻しばね１７が取付台１１を第２のかごドア６の開方向に付勢してストッパ１６に当接させるように配設されているので、第２のかごドア６の緩衝ゴム１４が係合していない状態では、取付台１１が退避位置に保持される。そこで、乗りかご１の振動などにより、取付台１１が移動して、ローラ２８がカム１２に乗り上げて戸閉検出用スイッチ２０が閉成状態となるような誤検出が回避される。
【００３５】
実施の形態３．
図１０はこの発明の実施の形態３に係る中央開き戸を有するエレベータのドア装置における戸閉検出用スイッチの動作を説明する図であり、図１０の（ａ）は閉成状態を示し、図１０の（ｂ）は開成状態を示している。
【００３６】
図１０において、板ばね２４がその一端をレバー２６の作動腕２６ａに取り付けられ、可動接点２３が板ばね２４の他端に取り付けられている。レバー２６は、軸２５周りに回動可能に取り付けられ、可動接点２３を固定接点２２から離反させる開成位置と板ばね２４を弾性変形させて可動接点２３を固定接点２２に接触させる閉成位置との間を移動可能に構成され、押しばね２７が作動腕２６ａを開成位置に位置するようにレバー２６を付勢している。
尚、他の構成は上記実施の形態１と同様に構成されている。
【００３７】
このように構成された戸閉検出用スイッチ２０Ａの動作について説明する。
ローラ２８がカム１２と係合していない状態では、図１０の（ｂ）に示されるように、押しばね２７の付勢力が作動腕２６ａに作用し、レバー２６が軸２５周りに時計回りに回動する。これにより、可動接点２３が固定接点２２から離反し、接点が開成状態となる。そして、レバー２６がストッパ２９に当接し、レバー２６の回動が阻止され、レバー２６が開成位置に保持される。
ついで、図１０の（ｂ）において、ローラ２８を上方に押し上げる力が作用すると、レバー２６が軸２５周りに反時計回りに回動する。これにより、図１０の（ａ）に示されるように、作動腕２６ａが押しばね２７の付勢力に抗して軸２５周りに反時計回りに回動し、ついには可動接点２３が固定接点２２に当接し、接点が閉成状態となる。そして、板ばね２４が弾性変形し、板ばね２４の復元力により、可動接点２３が固定接点２２に押圧され、閉成状態が保持される。このレバー２６の位置が閉成位置となる。
【００３８】
この実施の形態３では、戸閉検出用スイッチ２０に代えて戸閉検出用スイッチ２０Ａを用いており、上記実施の形態１と同様に動作する。
したがって、この実施の形態３においても、上記実施の形態１と同様の効果を奏する。
【００３９】
なお、上記各実施の形態では、２枚戸両引きのエレベータのドア装置に適用するものとしているが、中央開き戸を有していれば、引き戸の枚数は２枚に限定されるものではなく、例えば２速度両引きでもよい。この場合、引き戸の枚数は４枚となる。
また、上記各実施の形態では、かごドア装置に適用するものとしているが、乗り場ドア装置に適用しても、同様に効果を奏する。
【符号の説明】
【００４０】
２  出入り口、３  フレーム（固定部材）、５  第１のかごドア、６  第２のかごドア、１０  ガイドレール、１１  取付台、１２  カム、１４  緩衝ゴム（全閉位置規定手段）、１６  ストッパ（取付台退避位置決め部材）、１７  戻しばね（取付台付勢手段）、２０，２０Ａ  戸閉検出用スイッチ、２１  ベース、２２  固定接点、２３  可動接点、２４  板ばね（弾性支持部材）、２５  軸、２６  レバー、２７  押しばね（付勢手段）、２８  ローラ。
【図１】
0005449047.tif 000002
【図２】
0005449047.tif 000003
【図３】
0005449047.tif 000004
【図４】
0005449047.tif 000005
【図５】
0005449047.tif 000006
【図６】
0005449047.tif 000007
【図７】
0005449047.tif 000008
【図８】
0005449047.tif 000009
【図９】
0005449047.tif 000010
【図１０】
0005449047.tif 000011